(57)【特許請求の範囲】
【請求項１】
所定の長さを有する線形のデンタルフロスと、
デンタルフロスの一端に備えられる前記デンタルフロスより太いボール形の第１固定具と、
デンタルフロスの他端に備えられる矢先の形の第２固定具と、
を含むフロス部材を据置きするためのフロスホルダーであって、前記フロスホルダーは、
前記フロスホルダーの上部に位置する、前記デンタルフロスの使用区間が据置きされる溝を有する据置き部であって、前記第１固定具は、前記デンタルフロスの前記一端を、前記フロスホルダーの前記据置き部の近傍に設けられたスロットの径よりも大きくして、前記スロットに係止固定される係止体である、据置き部と、
前面に相対ラチェットが設けられた本体と、
上面に矢先の形の前記第２固定具が挿入固定される固定溝が設けられ、前面には突起状の引き部が設けられたアダプターであって、前記アダプターは、前記フロスホルダーの前記相対ラチェットに噛合するラチェットを含み、前記ラチェットは、前記デンタルフロスを引っ張る方向には相対ラチェットからの移動が可能になり、緩める方向には移動が制限される、アダプターと、
を備えることを特徴とするフロスホルダー。
【発明の詳細な説明】
【技術分野】
【０００１】
本発明は、フロス部材およびフロスホルダーに関する。
【０００２】
特に、独立して使用可能なフロス部材およびこれらのフロス部材を据置きするためのフロスホルダーに関する。
【背景技術】
【０００３】
一般的に、フロスの使用は、歯の寿命を６．２年延長させるという報告があるほど歯の健康に非常に重要である。
【０００４】
それにもかかわらず、フロスの使用が限られているのは、使用が難しく広報が足りないからである。
【０００５】
最近には、幸いにもフロスの重要性が浮き彫りにされ、その使用が徐々に増加してはいるが、フロスの容易な使用性についての技術は、まだ不十分な実情である。
【０００６】
図１は、従来の環状フロスの一実施例を示したものであり、図２は、その使用状態図を示したものである。
【０００７】
図１および図２に示した従来のフロス部材１は、四角形のフロスタイ２の上面にフロス３の両端部を埋め立てて構成したものであって、使用時には、図２に示したようにフロスタイ２を下側に位置させ、フロスの両側を手で引っつかんだ状態でフロス３の上部区間を用いてフロスを使うことになる。
【０００８】
しかし、前述した従来のフロス部材１は、基本的にフロスホルダーなしに独立して使用するものであるが、必要に応じてフロスホルダーに据置きして使用し得る。
【０００９】
この場合、フロス３の両端がフロスタイ２の上側にのみ埋め立てされてフロス３がぴんと引っ張られたとき、フロスタイ２がフロスホルダーに密着できずにゆれる状態になるため、口の中で引っかかりやすく、容易にフロスを掛けることを邪魔した。
【００１０】
したがって、従来のフロス部材１は、フロスホルダーに適用するのに非常に不適合であった。
【００１１】
一方、図３は、従来のフロスホルダーの一例を示した斜視図である。
【００１２】
図３に示した従来のフロスホルダー４は、ハンドル５および前記ハンドル５の図面上の上端に一体に形成されたホルダー部６、前記ホルダー部６の内面に両端部が埋め立てされるように固定されるフロス７で構成される。
【００１３】
前述した従来フロスホルダー４の場合、使用過程でフロス７が垂れるか、またはフロス７がホルダー部６から少しずつ抜け出るため、緩い状態になる。
【００１４】
このようにフロス７が垂れるようになると、フロスを掛けることができない状態になるため、フロスホルダー４を廃棄することになる。この場合、経済的損失だけでなく、環境汚染の原因となる。
【発明の概要】
【発明が解決しようとする課題】
【００１５】
本発明の一目的は、フロスホルダーに据置きが容易で、張力調節が容易であり、独立して使用可能なフロス部材を提供することにある。
【００１６】
本発明の他の目的は、前述したフロス部材を据置きするためのものであって、据置きされたフロスが使用過程で垂れたとき、張力をぴんと引っ張るように再調整できるため、フロスの実効性を高めるフロスホルダーを提供することにある。
【００１７】
本発明が解決しようとする課題は、以上で言及した課題に制限されず、言及しないまた他の課題は、以下の記載から当業者に明確に理解できるであろう。
【課題を解決するための手段】
【００１８】
前記目的を果たすための本発明の一様態によると、所定の長さを有する線形（line type）のフロスと、フロスの一端に備えられる第１固定具と、フロスの他端に備えられる第２固定具と、を含むフロス部材が提供される。
【００１９】
好ましくは、第１固定具は、フロスの太さよりも大きく構成し、フロスホルダーに設けられたスロット内に係止固定される係止体である。
【００２０】
好ましくは、第２固定具は、フロスホルダーの相対ラチェットに噛合するラチェットを含む。
【００２１】
好ましくは、第２固定具は、フロスの他端を円形のリング状に形成し、フロスホルダーに設けられたフックにかけて固定する。
【００２２】
好ましくは、第２固定具は、矢先の形に構成し、フロスホルダーに設けられた固定溝に係止固定される。
【００２３】
また、本発明の他の様態によると、前記記載されたフロス部材を据置きするためのフロスホルダーであって、第１固定具が固定される第１相対固定具を有するとともにフロスの使用区間が据置きされる据置き部を有するボディーと、ボディーに備えられたまま、第２固定具が固定される第２相対固定具を含むフロスホルダーが提供される。
【００２４】
好ましくは、第１相対固定具は、係止体の形の前記第１固定具が係止固定されるスロットを含む。
【００２５】
好ましくは、第２相対固定具は、第２固定具のラチェットと噛合するが、据置き部に向かう方向には、移動が制限される一方、据置き部の反対方向には、移動が許容される相対ラチェットである。
【００２６】
好ましくは、第２相対固定具は、フロスの他端に設けられる円形のリング状の第２固定具をかけて固定するためのフックである。
【００２７】
好ましくは、第２相対固定具は、矢先の形の第２固定具が挿入される固定溝である。
【００２８】
また、本発明のまた他の様態によると、閉曲線形状の環状フロスと、環状フロスの両端が結束されるフロスタイと、フロスタイの長さ方向に沿って設けられるラチェットと、を含むフロス部材が提供される。
【００２９】
また、本発明のまた他の様態によると、前記記載されたフロス部材を据置きするためのフロスホルダーであって、前記環状フロスの使用区間が据置きされる据置き部を有するホルダーボディーと、ホルダーボディーに設けられてフロスタイが固定されるタイ固定部と、を含むフロスホルダーが提供される。
【００３０】
好ましくは、フロスタイにラチェットが設けられ、タイ固定部には、ラチェットと噛合する相対ラチェットが設けられる。
【００３１】
好ましくは、タイ固定部は、トンネル状になり、相対ラチェットは、トンネル内に設けられる。
【００３２】
好ましくは、相対ラチェットは、タイ固定部から着脱が可能なラチェット板に形成される。
【発明の効果】
【００３３】
本発明によるフロス部材は、フロスホルダーに容易に据置でき、据置きされた状態で張力調節が容易であり、独立して使用できるため、単品形で商品化が可能である。
【００３４】
また、本発明は、フロス部材の張力を使用者の歯の状態に合わせて調節して使用でき、繰り返し使用によってフロスが垂れたとき、張力をぴんと引っ張るように再調節できるため、フロス実効性および使用感を向上させ得る。
【図面の簡単な説明】
【００３５】
【図１】従来の環状フロスの一例示図。
【図２】図１の使用状態図。
【図３】従来のフロスホルダーの一例示図。
【図４】本発明による線形フロス部材の第１実施例。
【図５】本発明による線形フロス部材の第２実施例。
【図６】本発明による線形フロス部材の第３実施例。
【図７】本発明による線形フロス部材の第４実施例。
【図８】本発明による線形フロス部材用フロスホルダーの第１実施例。
【図９ａ】本発明による線形フロス部材用フロスホルダーの第１相対固定具の例示図。
【図９ｂ】本発明による線形フロス部材用フロスホルダーの第１相対固定具の例示図。
【図１０】図８の結合状態の縦断面図。
【図１１】本発明による線形フロス部材用フロスホルダーの第２実施例。
【図１２】本発明による線形フロス部材用フロスホルダーの第３実施例。
【図１３】本発明による環状フロス部材の第１実施例。
【図１４】本発明による環状フロス部材の第２実施例。
【図１５】本発明による環状フロス部材の第３実施例。
【図１６】本発明による環状フロス部材の第４実施例。
【図１７】本発明による環状フロス部材用フロスホルダーの第１実施例。
【図１８】図１７の結合状態図。
【図１９ａ】本発明による環状フロス部材用フロスホルダーの第２実施例。
【図１９ｂ】本発明による環状フロス部材用フロスホルダーの第２実施例。
【図１９ｃ】本発明による環状フロス部材用フロスホルダーの第２実施例。
【図１９ｄ】本発明による環状フロス部材用フロスホルダーの第２実施例。
【図２０】離脱防止部材の他の実施例。
【図２１】第２実施例による環状フロス部材用フロスホルダーの変形の実施例。
【図２２ａ】フロス部材の他の据置きの形を示した図面で、引きの前の状態図。
【図２２ｂ】図２２ａの引きの後の状態図。
【図２３ａ】本発明による環状フロス部材用フロスホルダーの第３実施例。
【図２３ｂ】本発明による環状フロス部材用フロスホルダーの第３実施例。
【図２３ｃ】本発明による環状フロス部材用フロスホルダーの第３実施例。
【発明を実施するための形態】
【００３６】
以下、本発明の好ましい実施例を添付図面を通じて具体的に説明する。
【００３７】
図４に示したフロス部材１０は、所定の長さを有する線形（line type）のフロス１１と、フロス１１の一端部に備えられ、フロスの一端部を後述するフロスホルダーに固定するための第１固定具１２と、フロス１１の他端部に備えられ、フロスの他端部を後述するフロスホルダーに固定するための第２固定具１３で構成される。
【００３８】
ここで、第１固定具１２は、フロスの太さよりも大きく構成し、後述するフロスホルダーに設けられたスロット内に係止固定される係止体になり得る。
【００３９】
係止体は、例示的にボール（ball）形になり得る。
【００４０】
ボール形の第１固定具１２は、一例として、第１固定具１２に貫通穴を形成し、これに前記フロス１１の一端を貫通させて結び処理することにより、フロス１１と第１固定具１２を一体化した形状、他の例として、第１固定具１２にフロス１１の一端を埋め立て成形して一体化した形状も提示され得る。
【００４１】
一方、前記第２固定具１３は、図４のように、その両側面にラチェット１３ａが設けられた構造を有し得る。
【００４２】
また、前記第２固定具１３の表面、すなわち、正面には、第２固定具１３の引きの操作のための溝または突起の形の引き部１３ｂが設けられ得る。
【００４３】
図５は、本発明によるフロス部材の第２実施例である。
【００４４】
図５に示したフロス部材１０は、フロス１１と、第１固定具１２の構造は、第１実施例と同一であり、単に、第２固定具１３の構造に差がある。ここで、第２固定具１３は、その背面にラチェット１３ａが設けられ得る。
【００４５】
また、前記第２固定具１３の表面には、第２固定具１３の引きの操作のための溝または突起の形の引き部１３ｂが設けられ得る。
【００４６】
図６は、本発明によるフロス部材の第３実施例である。
【００４７】
図６に示したフロス部材１０は、フロス１１と、第１固定具１２の構造は、第１、２実施例と同一であり、単に、第２固定具１３の構造に差がある。ここで、第２固定具１３は、矢先形状を有し得る。このとき、矢先の形の第２固定具１３は、フロスホルダーに設けられた固定溝に係止固定され得る。
【００４８】
図７は、本発明によるフロス部材の第４実施例である。
【００４９】
図７に示したフロス部材１０は、フロス１１と、第１固定具１２の構造は、第１〜３実施例と同一であり、単に、第２固定具１３の構造に差がある。ここで、前記第２固定具１３は、フロス１１の他端部をリング形状に形成し得る。このとき、リング形状の第２固定具１３は、フロスホルダーに設けられたフックにかけて固定され得る。
【００５０】
〔線形フロス部材用フロスホルダー〕
【００５１】
図８は、本発明による線形フロス部材用フロスホルダーの第１実施例であり、図９ａ、図９ｂは、本発明による線形フロス部材用フロスホルダーの第１相対固定具の例示図であり、図１０は、図８の結合状態の縦断面図である。
【００５２】
図８ないし図１０に示した第１実施例の線形フロス部材用フロスホルダー１００は、前述した第１実施例のフロス部材１０を据置きするためのものである。
【００５３】
すなわち、前記第１実施例の線形フロス部材用フロスホルダー１００は、前述した第１固定具１２が固定される第１相対固定具１１１を有し、前記フロス１１の使用区間が据置きされる据置き部１１２を有するボディー１１０および前記ボディー１１０に備えられたまま、前記第２固定具１３が固定される第２相対固定具１２０を含む。
【００５４】
ここで、前記第１相対固定具１１１は、図９ａ、図９ｂのように、係止体の形の前記第
１固定具１２が係止固定されるスロットの形または穴とスロットの組み合わせた形で構成
され得る。スロットの間隔は、フロス１１よりは大きく、係止体よりは小さく構成され、
係止体が係止固定される。これにより、フロス部材１０の一端をボディー１１０に堅固に
固定させ得ることになる。
【００５５】
一方、前記第２相対固定具１２０は、前記ボディー１１０の外部にトンネル状に形成され得、トンネルの内部には、前記第１実施例によるフロス部材１０のラチェット１３ａと噛合する相対ラチェット１２１が備えられ得る。
【００５６】
このとき、前記ラチェット１３ａと相対ラチェット１２１は、前記フロス部材１０を引く方向、すなわち、据置き部１１２の反対方向には、第２固定具１３の移動を許容する一方、据置き部１１２に向かう方向には、移動が制限される歯（teeth）構造を有する。
【００５７】
これらの構造に応じて、フロス部材１０の第１固定具１２を第１相対固定具１１１に圧入し、フロス１１を据置き部１１２に据置きした後、第２固定具１３を第２相対固定具１２０のトンネルの内部に引き込ませることにより、フロス部材１０の設置が完了される。
【００５８】
以後、長い使用でフロス１１が緩んだ場合は、前記第２固定具１３の引き部１３ｂを用いて図面上の下向きに引くことにより、フロス１１の据置きの状態をぴんと引っ張るように再調整して初期状態で継続して使用できるようになる。
【００５９】
図１１は、本発明によるフロスホルダーの第２実施例であって、フロス部材を据置きする前の状態および据置きした後の状態を示した斜視図である。
【００６０】
図１１に示した第２実施例のフロスホルダー２００は、前述した第２実施例のフロス部材１０を据置きするためのものであって、第１相対固定具２１１を有するボディー２１０および第２相対固定具２２０が備えられることは、第１実施例と同じである。
【００６１】
しかし、第２相対固定具２２０は、前記第２実施例によるフロス部材１０のラチェット１３ａと噛合する相対ラチェットで構成されるが、第１実施例の第２相対固定具とは異なり、ボディー２１０の外面に露出した形を有することに特徴的構成がある。
【００６２】
図１２は、本発明によるフロスホルダー３００の第３実施例であって、これは第３実施例によるフロス部材１０を据置きするためのものである。
【００６３】
すなわち、第３実施例によるフロスホルダー３００の第１相対固定具３１１は、前述の第１、２実施例と同一であり、第２相対固定具３２０は、ボディー３１０に形成または結合されるラチェット部３２１と、前記ラチェット部３２１に噛合する相対ラチェット３２２ａを有し、一側に第３実施例によるフロス部材１０の矢先形状からなる第２固定具１３が挿入固定される固定溝３２２ｂが形成されたアダプター３２２で構成され得る。
【００６４】
ここで、前記ラチェット部３２１と相対ラチェット３２２ａは、前記フロス部材１０を引く方向、すなわち、据置き部３１２の反対方向には、アダプター３２２の移動を許容する一方、その逆方向には、移動が制限される歯（teeth）構造を有する。その他の部分は、第１、２実施例と同じであるため詳細な説明は省略する。
【００６５】
〔環状フロス部材〕
【００６６】
本発明による環状フロス部材は、フロスタイの有無に応じて実施例が区分される。
【００６７】
すなわち、フロスタイがないフロス部材（図示せず）は、フロス自体を環状に成形した無結び型フロスや、または線形のフロスの両端を互いに結んで環状に作った有結び型で分類され得る。
【００６８】
一方、フロスタイがあるフロス部材２０は、図１３ないし図１６のように、環状フロス２１の両端をフロスタイ２２に埋め立てて構成したもので、埋め立ての方法は、インサート射出（insert molding）による。
【００６９】
このうち、図１３のフロス部材２０は、環状フロス２１の両端をフロスタイ２２の両側面に相対するように埋め立てることにより、環状フロス２１をぴんと引っ張ったときにフロスタイ２２がフロスホルダーに密着し得るようにし、また、フロスタイ２２の外形を曲線や流線形で構成して、フロスを掛けるときフロスタイ２２が歯に引っかかる問題点を最小化し、口の中に傷や痛みを誘発することを防止できるようにしたものである。
【００７０】
図１４および図１５のフロス部材２０は、フロスタイ２２の表面の長さ方向に沿ってラチェット２２ａが形成される。ここで、前記ラチェット２２ａは、後述するフロスホルダーの相対ラチェットと噛合するためのものであって、相対ラチェットの形および位置に応じて、図１４に示すように、フロスタイ２２の両側面にラチェット２２ａが形成され得、または図１５に示すように、背面にラチェット２２ａが形成され得る。
【００７１】
また、前記図１４および図１５に示したフロス部材２０は、フロスタイ２２を環状フロスの結合側の反対方向に使用者の爪などによってひいて引っ張るように突起または溝の形の引き部２２ｂが形成され得る。
【００７２】
図１６のフロス部材２０は、フロスタイ２２が矢先形状に形成されたものであって、これは後述するフロスホルダーの引きレバーに固定溝（図示せず）を形成し、これに着脱可能に結束するためのものである。
【００７３】
〔環状フロス部材用フロスホルダー〕
【００７４】
図１７は、環状フロス部材用フロスホルダーの第１実施例であって、分離斜視図であり、図１８は、図１７の結合状態の断面図である。
【００７５】
前記図面を参照すると、第１実施例の環状フロス部材用フロスホルダー４００は、フロスの張力を調節できるフロスホルダーとして、ホルダーボディー４１０およびタイ固定部４２０を含む。
【００７６】
前記ホルダーボディー４１０は、前記フロス部材２０の使用区間を据置きするための据置き部４１１を有する。ここで、前記据置き部４１１は、フロス部材２０が所定の長さで据置きされるようにＹ字型を有し得るが、ここに限定するものではない。
【００７７】
前記タイ固定部４２０は、前記ホルダーボディー４１０に備えられて前記フロスタイ２２を固定する役割をする。
【００７８】
前記タイ固定部４２０は、前記ホルダーボディー４１０の外面にトンネル状に形成され得、トンネルの内部には、前記フロスタイ２２に形成されたラチェット２２ａと噛合する相対ラチェット４２１が備えられる。
【００７９】
ここで、ラチェット２２ａと相対ラチェット４２１は、前記フロス部材２０を引く方向、すなわち、前記据置き部４１１の反対方向には、フロスタイ２２の移動を許容する一方、その逆方向には、移動を制限して逆行を防止する歯（teeth）構造を有する。
【００８０】
これらの構造に応じて、フロス部材２０を据置き部４１１に据置きした状態でフロスタイ２２をタイ固定部４２０のトンネルの内部に引き込ませることにより、フロス部材２０の据置きが完了され、長い使用でフロス部材２０が緩んだ場合、前記フロスタイ２２の引き部２２ｂを用いて図面上の下向きに引くことにより、フロス部材２０をぴんと引っ張るように再調整して継続的に使用できるようになる。
【００８１】
図１９ａは、環状フロス部材用フロスホルダーの第２実施例であって、結合斜視図であり、図１９ｂは、図１９ａの縦断面図として引きの前の状態図であり、図１９ｃは、図１９ａの縦断面図として引きの後の状態図であり、図１９ｄは、図１９ａの縦断面図として引きレバーを反らした状態図である。
【００８２】
前記図面を参照すると、第２実施例の環状フロス部材用フロスホルダー４００は、フロスの張力を調節できるフロスホルダーであって、ホルダーボディー４１０、引きレバー４３０および逆行防止部材４４０を含む。
【００８３】
前記ホルダーボディー４１０は、フロス部材2０の使用区間が据置きされる据置き部４１１を有する。ここで、前記据置き部４１１は、フロス部材2０が所定の長さで据置きされるようにＹ字型を有し得るが、ここに限定するものではない。
【００８４】
前記引きレバー４３０は、前記ホルダーボディー４１０の長さ方向に沿って流動可能に設置され、前記フロス部材2０の非据置き部を引いて張力をぴんと引っ張るように調節する役割をする。
【００８５】
前記引きレバー４３０には、前記フロス部材２０の一側をかけて据置きするように据置きフック４３１が備えられ得る。前記据置きフック４３１の具備位置および形は特定しない。
【００８６】
前記逆行防止部材４４０は、前記ホルダーボディー４１０に備えられるラチェット４４１と、前記引きレバー４３０に前記ラチェット４４１と噛合するように備えられる相対ラチェット４４２で構成され得る。
【００８７】
ここで、ラチェット４４１と相対ラチェット４４２は、前記フロス部材２０を引く方向、すなわち、前記据置き部４１１の反対方向（図１９ａの矢印方向）には、引きレバー４３０の移動を許容する一方、その逆方向には、引きレバー４３０の移動を制限して逆行を防止する歯（teeth）構造を有する。
【００８８】
これらの構造に応じて、フロス部材２０の一方を据置き部４１１に据置きし、他の一方は、前記据置きフック４３１にかけて固定して使用するが、長い使用でフロス部材２０が緩んだ場合は、引きレバー４３０を下向きに引っ張ってフロス部材２０をぴんと引っ張るように再調整して使用できるようになる。
【００８９】
一方、前記第２実施例の環状フロス部材用フロスホルダー４００は、引きレバー４３０の離脱を防止するとともに引きレバー４３０の円滑な流動のための離脱防止部材４５０をさらに含み得る。
【００９０】
前記離脱防止部材４５０は、前記ホルダーボディー４１０の両側面に長さ方向に形成される離脱防止溝４５１と、前記引きレバー４３０の離脱防止溝４５１との対応面に形成されたまま、離脱防止溝４５１にはめ込み結合される離脱防止突起４５２で構成され得る。
【００９１】
これとは異なり、ホルダーボディー４１０に離脱防止突起が、引きレバー４３０に離脱防止溝が形成され得る。
【００９２】
そして、前記離脱防止突起４５２は、図１９ｄに示すように、引きレバー４３０の下端に偏って配置し、引きレバー４３０の上部が離脱防止突起４５２をヒンジ点としてホルダーボディー４１０から離隔する方向に回転するようにした。これらの構造によると、ラチェット４４１と相対ラチェット４４２の噛合関係を解除できるため、引きレバー４３０の逆行が可能になり、フロス部材２０を新しいものに交換するときに便利に活用できる。
【００９３】
図２０は、前記離脱防止部材４５０の他の実施例を示したものであって、これはホルダーボディー４１０の中央部に長さ方向に離脱防止溝４５１ａを形成し、前記引きレバー４３０の相対面には、前記離脱防止溝４５１ａに挿入されたまま、長さ方向にスライディング移動されるレールの形の離脱防止突起４５２ａからなる。その他にも、引きレバー４３０がホルダーボディー４１０に沿ってスライディング移動が可能であれば、本発明の範疇に含まれ得る。
【００９４】
図２１は、第２実施例の環状フロス部材用フロス部材の変形の実施例であって、まず、逆行防止部材４４０のラチェット４４１は、前記の図面に示すように、ホルダーボディー４１０に一体に形成され得、ホルダーボディー４１０に着脱可能な別のラチェット板４４３に形成され得る。
【００９５】
ここで、ラチェット板４４３には、はめ込み突起４４３ａを形成し、前記ホルダーボディー４１０の対応面には、前記はめ込み突起４４３ａが挿入される挿入溝４１２を形成してはめ込み結合する構造が提示され得、図示されなかったが、ねじによって締結する方式も適用され得る。
【００９６】
また、別に図示しなかったが、逆行防止部材４４０の相対ラチェット４４２の場合も、別の相対ラチェット板に形成し、これを引きレバー４３０に結合する構成も適用され得る。
【００９７】
これらのラチェットおよび相対ラチェットの別の構成は、フロス部材２０を取り替えるために引きレバー４３０を逆進行させるときに必要であり、ラチェットまたは相対ラチェットが損傷されたときに、部分交換ができるため、一体型に比べて経済的である。
【００９８】
一方、前記引きレバー４３０は、前記ホルダーボディー４１０の外周面をくるむように筒状に構成され得る。これは、第２実施例のような離脱防止溝が必要なく、ホルダーボディーのデザインによっては、ホルダーボディーをフロスの保存空間として使用時にふたを兼ね得る。
【００９９】
図２２ａは、フロス部材の他の据置きの形を示した図面であって、引きの前の状態図であり、図２２ｂは、図２２ａの引きの後の状態図である。
【０１００】
前記図面を参照すると、ホルダーボディー４１０の据置き部４１１とラチェット４４１との間にホルダーボディー４１０の前後方を貫通する第１貫通ホール４１３を形成し、前記ラチェット４４１が形成された区間内にも、その前後方を貫通する第２貫通ホール４１４を形成し、図２２ａに示すように、前記据置き部４１１にフロス部材2０の一側を据置きし、他側は、前記第１貫通ホール４１３の前方から後方に貫通させた後、前記第２貫通ホール４１４の後方から前方に貫通させて引きレバー４３０の据置きフック４３１にかけて固定する。
【０１０１】
以後、図２２ｂに示すように、引きレバー４３０を下に引くと、フロス部材２０によって引きレバー４３０をホルダーボディー４１０の方に引く作用をするため、引きレバー４３０の離脱を防止できることになる。
【０１０２】
図２３ａは、環状フロス部材用フロスホルダーの第３実施例であって、分離斜視図であり、図２３ｂは、図２３ａの結合状態図としてフロス部材を引く前の状態図であり、図２３ｃは、図２３ａの結合状態図としてフロス部材を引いた後の状態図である。
【０１０３】
前記図面を参照すると、第３実施例による環状フロス部材用フロスホルダー４００のその他の構成は、第２実施例と同じであるが、引きレバー４３０を回転方式で操作することと、それに応じてラチェット４４１と相対ラチェット４４２が環状で構成されることに差があるだけである。
【０１０４】
すなわち、ホルダーボディー４１０の据置き部４１１の反対側の末端を円柱の形状にし、この円柱の表面に沿ってラチェット４４１を環状で構成し、前記引きレバー４３０には、前記円柱部分が挿入される挿入溝４３２を形成するが、挿入溝４３２の内周面に沿って前記ラチェット４４１と噛合する相対ラチェット４４２を形成することに構造的な特徴を置いている。
【０１０５】
これらの構成に応じて、引きレバー４３０をホルダーボディー４１０の軸線Ｓを基準に一方向に回転させ、引きレバー４３０の据置きフック４３１に据置きされたフロス部材2０を引きレバー４３０の円周方向に操作することによって引くことになるため、緩かったフロス部材2０をぴんと引っ張るように調節できる。
【０１０６】
一方、第３実施例による環状フロス部材用フロスホルダー４００は、ホルダーボディー４１０の外周面の所定の位置に巻取り突起４１５が形成され得る。この巻取り突起４１５は、引きレバー４３０を回転させるときに、フロス部材2０がついて回らずに引かれるようにする役割をする。
【０１０７】
以上、本発明を具体的な実施例を通じて詳細に説明したが、これは本発明を具体的に説明するためのものであって、本発明は、ここに限定されず、本発明の技術的思想内で当分野の通常の知識を有する者によって、その変形や改良が可能であることが明白である。
【０１０８】
本発明の単純な変形ないし変更は、すべて本発明の範疇に属するものであって、本発明の具体的な保護範囲は、添付された特許請求の範囲によって明確になるだろう。
【符号の説明】
【０１０９】
１０：フロス部材
１１：フロス
１２：第１固定具
１３：第２固定具
１３ａ：ラチェット
１３ｂ：引き部
２０：フロス部材
２１：環状フロス
２２：フロスタイ
２２ａ：ラチェット
２２ｂ：引き部
１００、２００、３００、４００：フロスホルダー
１１０、２１０、３１０：ボディー
１１１、２１１、３１１：第１相対固定具
１２０、２２０、３２０：第２相対固定具
４１０：ホルダーボディー
４２０：タイ固定部
４１１：据置き部
４２１：相対ラチェット
４３０：引きレバー
４３１：据置きフック
４４０：逆行防止部材
４５０：離脱防止部材
【図１】
0006968188.tif 000002
【図２】
0006968188.tif 000003
【図３】
0006968188.tif 000004
【図４】
0006968188.tif 000005
【図５】
0006968188.tif 000006
【図６】
0006968188.tif 000007
【図７】
0006968188.tif 000008
【図８】
0006968188.tif 000009
【図９ａ】
0006968188.tif 000010
【図９ｂ】
0006968188.tif 000011
【図１０】
0006968188.tif 000012
【図１１】
0006968188.tif 000013
【図１２】
0006968188.tif 000014
【図１３】
0006968188.tif 000015
【図１４】
0006968188.tif 000016
【図１５】
0006968188.tif 000017
【図１６】
0006968188.tif 000018
【図１７】
0006968188.tif 000019
【図１８】
0006968188.tif 000020
【図１９ａ】
0006968188.tif 000021
【図１９ｂ】
0006968188.tif 000022
【図１９ｃ】
0006968188.tif 000023
【図１９ｄ】
0006968188.tif 000024
【図２０】
0006968188.tif 000025
【図２１】
0006968188.tif 000026
【図２２ａ】
0006968188.tif 000027
【図２２ｂ】
0006968188.tif 000028
【図２３ａ】
0006968188.tif 000029
【図２３ｂ】
0006968188.tif 000030
【図２３ｃ】
0006968188.tif 000031